(57)【要約】【課題】種々の記録紙が容易に記録紙収納装置に装填されるとともに、プリンターに簡易でかつ容易に着脱可能な記録紙収納装置を備えたプリンターを提供することである。【解決手段】モバイルプリンター１は、プリンター本体２と本体カバー３と小径の記録紙５が収納される記録紙収納装置４とから構成されている。プリンター本体２より延設されたサイドパネル１４，１５の延設部１４ａ、１５ａに、本体カバー３が回動自在に設けられている。両側の延設部１４ａ、１５ａの間には、第一の空間部３４を有し、両側のアーム３２，３３の間には、第二の空間部３５を有している。第一の空間部３４と第二の空間部３５から構成されている空間部に記録紙収納装置４が装着される。大径の記録紙７１に印字する場合は、記録紙収納装置４を取り外してから記録紙収納装置５５を装着させることによって行う。【選択図】図１
2007261771.tif 000002
【特許請求の範囲】
【請求項１】
記録紙が装填された記録紙収納装置と、該記録紙収納装置が装着される空間部を有するプリンター本体と、該プリンター本体に回動自在に設けられた本体カバーと、該プリンター本体の空間部には、着脱可能な記録紙収納装置を備えたプリンターにおいて、
前記プリンター本体の両側に設けられたサイドパネルが前記プリンター本体より延設され,該延設された両側のサイドパネルの間には第一の空間部を有し、さらに、該延設された両側のサイドパネルには前記本体カバーの回動部が対向するように設けられ、該両側の回動部の間には第二の空間部を有し、前記空間部は前記第一の空間部および前記第二の空間部とから構成されていることを特徴とする着脱可能な記録紙収納装置を備えたプリンター。
【請求項２】
前記記録紙収納装置は、第一の記録紙収納装置と第二の記録紙収納装置とから構成され、一方の記録紙収納装置は前記プリンター本体に設けられ、他方の記録紙収納装置が前記本体カバーに設けられていることを特徴とする請求項１に記載の着脱可能な記録紙収納装置を備えたプリンター。
【発明の詳細な説明】
【技術分野】
【０００１】
本発明は、プリンターの中で、特に携帯型のモバイルプリンターにおいて、大小径の記録紙が収納された着脱可能な記録紙収納装置を備えたプリンターに関するものである。
【背景技術】
【０００２】
近年、店舗あるいは物流などでは、商品に貼付するラベルの発行などを手軽に行うことができる持ち運びが容易なモバイルプリンターが普及している。これらのモバイルプリンターには、コンパクトさが要求される一方、大小径の記録紙が収納されることも併せて要求されている。このような要求を満足するモバイルプリンターとして、大小径の記録紙を収納することができる記録紙収納装置を備えたものが提案されている。その一例として、大小径の記録紙に合わせた記録紙収納装置をそれぞれ用意しておき、必要に応じてこの記録紙収納装置をモバイルプリンターに交換する着脱可能な記録紙収納装置を備えたものが知られている（例えば、特許文献１参照）。
【０００３】
従来の着脱可能な記録紙収納装置を備えたポータブルプリンターについて、図５を参照して説明する。ポータブルプリンター１００は、外装ケース１０１を形成するプリンター基部１０２と用紙カートリッジ１０３とによって構成されている。プリンター基部１０２は、上面に操作面１０４を有し、正面に開閉自在の本体カバー１０５を有している。また、プリンター基部１０２は、底部を構成する底部パネル１０６及び操作面１０４が配置される上部パネル１０７以外の部分が約半分程度切り欠かれた形状を有し、この切り欠かれた部分が切欠部１０８となっている。さらに、本体カバー１０５は、上部パネル１０７に設けられたカバー開閉ノブ１０９によって操作される図示されていない周知のラッチ機構によってラッチされている。
【０００４】
用紙カートリッジ１０３は、プリンター基部１０２の切欠部１０８に対して着脱自在であり、プリンター基部１０２の操作面１０４に設けられたカートリッジ着脱ノブ１１０によって操作される図示されていない周知のラッチ機構によってラッチされ、用紙カートリッジ１０３の着脱の便宜を図るために、ポータブルプリンター１００には、プリンター基部１０２の底部パネル１０６に形成されたレール１１１と用紙カートリッジ１０３の底面に形成された凹溝１１２とによるレール構造が設けられている。また、この用紙カートリッジ１０３には、開閉自在のカートリッジカバー１１３によって密閉される空間内にバッテリー１１４とロール紙１１５とが内蔵されると共に、用紙カートリッジ１０３におけるプリンター基部１０２に接触する部分には、バッテリー１１４に電気的に接続された接点スイッチ１１６が取り付けられている。このようにポータブルプリンター１００では、プリンター基部１０２に対する用紙カートリッジ１０３の装着によって接点スイッチ１１６がプリンター基部１０２の切欠部１０８に配置された図示されていない接点スイッチに接触することにより各部に給電が行われるように構成されている。さらに、用紙カートリッジ１０３には、収納保持するロール紙１１５を案内する通紙口１１７が形成され、一方のプリンター基部１０２の切欠部１０８の通紙口１１７に対向する位置に図示されていない通紙口が通紙口１１７に連絡するように形成されている。
【０００５】
ここで、種類が異なる複数の用紙カートリッジ１０３を用意しておけば、用紙カートリッジ１０３の交換のみで所望の種類のロール紙１１５や図示されていないカット紙又は連続紙に対する印字が可能となっている。なお、用紙カートリッジ１０３を着脱するには、カートリッジ着脱ノブ１１０をスライドさせてプリンター基部１０２に対する用紙カートリッジ１０３のラッチを外す。これにより、使用済の用紙カートリッジ１０３の取り外し及び新たな用紙カートリッジ１０３の装着が可能となる。この際、プリンター基部１０２の底部パネル１０６に形成されたレール１１１と用紙カートリッジ１０３の底面に形成された凹溝１１２とによるレール構造によって、用紙カートリッジ１０３の着脱操作を行っている。
【特許文献１】特開平１０−２３５９５７号公報
【発明の開示】
【発明が解決しようとする課題】
【０００６】
しかしながら、上記構成のポータブルプリンターの着脱可能な用紙カートリッジにおいては、次のような問題点がある。用紙カートリッジ内にバッテリーが内蔵されているため、用紙カートリッジ側の電気的な接点とプリンタ基部側にも電気的な接点を設け、電気的な接点どうしが確実に接触する構造にしなければならなかった。また、プリンター基部と用紙カートリッジを装着する場合には、ロール紙を用紙カートリッジ側の通紙口とプリンタ基部側の通紙口を通さなければならないという煩雑さがあった。さらに、それぞれの種類のロール紙にあった専用の用紙カートリッジ全体を準備しなければならないという問題があった。
【０００７】
本発明の課題は、この点を鑑みて、使用目的等によって種々の記録紙が容易に記録紙収納装置に装填されるとともに、プリンターに簡易でかつ容易に着脱可能な記録紙収納装置を備えたプリンターを提供することである。
【課題を解決するための手段】
【０００８】
上記の課題を解決するために本発明の第一の態様にかかる着脱可能な記録紙収納装置を備えたプリンターは、記録紙が装填された記録紙収納装置と、該記録紙収納装置が装着される空間部を有するプリンター本体と、該プリンター本体に回動自在に設けられた本体カバーと、該プリンター本体の空間部には、着脱可能な記録紙収納装置を備えたプリンターにおいて、前記プリンター本体の両側に設けられたサイドパネルが前記プリンター本体より延設され,該延設された両側のサイドパネルの間には第一の空間部を有し、さらに、該延設された両側のサイドパネルには前記本体カバーの回動部が対向するように設けられ、該両側の回動部の間には第二の空間部を有し、前記空間部は前記第一の空間部および前記第二の空間部とから構成されている。
【０００９】
本発明の他の態様にかかる着脱可能な記録紙収納装置を備えたプリンターは、前記記録紙収納装置が第一の記録紙収納装置と第二の記録紙収納装置とから構成され、一方の記録紙収納装置は前記プリンター本体に設けられ、他方の記録紙収納装置が前記本体カバーに設けられている。
【発明の効果】
【００１０】
本発明の着脱可能な記録紙収納装置を備えたプリンターは、記録紙が装填された記録紙収納装置と、該記録紙収納装置が装着される空間部を有するプリンター本体と、該プリンター本体に回動自在に設けられた本体カバーと、該プリンター本体の空間部には、着脱可能な記録紙収納装置を備えたプリンターにおいて、前記プリンター本体の両側に設けられたサイドパネルが前記プリンター本体より延設され,該延設された両側のサイドパネルの間には第一の空間部を有し、さらに、該延設された両側のサイドパネルには前記本体カバーの回動部が対向するように設けられ、該両側の回動部の間には第二の空間部を有し、前記空間部は前記第一の空間部および前記第二の空間部とから構成されているので、使用目的等によっていろいろな種類の記録紙を容易に記録紙収納装置に装填したり取り外したりすることができ、しかも、容易に記録紙収納装置をプリンターに着脱することができる。また、記録紙収納装置は、簡易な構成とすることができるのでコスト低減を図ることができる。
【００１１】
さらに、本発明の着脱可能な記録紙収納装置を備えたプリンターは、前記記録紙収納装置が第一の記録紙収納装置と第二の記録紙収納装置とから構成され、一方の記録紙収納装置は前記プリンター本体に設けられ、他方の記録紙収納装置が前記本体カバーに設けられているので、より容易に記録紙収納装置をプリンターに着脱することができる。
【発明を実施するための最良の形態】
【００１２】
以下に、図面を参照して本発明の好ましい実施の形態について説明する。本実施の形態は、種々のプリンターの中で持ち運びが容易なモバイルプリンターについて説明する。図１は、小径の記録紙が装填されていない記録紙収納装置の装着前であって、本体カバーが全開位置に回動された状態のモバイルプリンターの分解斜視図である。図１において、モバイルプリンター１は、主としてプリンター本体２と本体カバー３と記録紙収納装置４とから構成されている。記録紙収納装置４は、第一の記録紙収納装置としての上部記録紙収納カバー４ａと第二の記録紙収納装置としての下部記録紙収納カバー４ｂとから構成され、下部記録紙収納カバー４ｂには、図２で示されている小径の記録紙５が装填されるようになっている。ここで、小径の記録紙５は、台紙の上にラベルが一定の間隔ごとに貼着された構成とされている。
【００１３】
プリンター本体２は、略箱型に構成され、主として操作パネル６と図２で示されているベースプレート１７と両側のサイドパネル１４，１５（サイドパネル１４と対向している反対側のサイドパネルで図示されていない。）とから構成されている。操作パネル６は、プリンター本体２の前面を覆うように上部で折り曲げられて平面に延びて平面部６ａを有している。一方、プリンター本体２の底部には、ベースプレート１７が設けられ、ベースプレート１７の前面は、プリンター本体２の前面を覆うように下部で折り曲げられて底面に延びて底面部１７ａを有している。プリンター本体２の前面において、操作パネル６とベースプレート１７が接合されている。また、プリンター本体２の両側には、サイドパネル１４、１５が設けられ、これらのサイドパネル１４、１５は、操作パネル６の平面部６ａとベースプレート１７の底面部１７ａに立設されている。
【００１４】
操作パネル６の平面部には、小径の記録紙５に印字する可変情報および印字動作などの内容を表示するＬＣＤ７と、キースイッチで入力する電源スイッチ１０と、電源が入っていることを表示するＬＥＤ１１と、印字動作が正常であることを表示するＬＥＤ１２と、後述するバッテリー１６の残量が正常であることを表示するＬＥＤ１３とを備えている。
【００１５】
プリンター本体２の両側に設けられたサイドパネル１４、１５の後端側が、操作パネル６の平面部６ａおよびベースプレート１７の底面部１７ａより延設されて延設部１４ａ、１５ａが対向するように形成されているとともに、両側の延設部１４ａ、１５ａの内面側の下方に対向する位置に係合ピン３８（延設部１４ａに隠れて図示されていない。），３９がそれぞれ内側に向けて突設されている。さらに、両側の延設部１４ａと延設部１５ａの後端側の外面側の上部には、それぞれ突設部１４ｂ、１５ｂが形成され、これらの突設部１４ｂと突設部１５ｂに貫通孔９，９（突設部１５ｂに隠れて図示されていない。）が穿孔されている。また、両側の延設部１４ａと延設部１５ａとの間には、空間部としての第一の空間部３４が形成されている。
【００１６】
本体カバー３には、両側にアーム３２、３３が設けられ、これらのアーム３２，３３の対向位置に図２で示されている回動フレーム３１が設けられ、この回動フレーム３１にアーム３２，３３が立設されている。これらのアーム３２とアーム３３の下方の先端部には、それぞれ半円形状のアーム先端部３２ａ、３３ａが設けられ、これらのアーム先端部３２ａ、３３ａの中心部には雌ねじ部８（アーム先端部３２ａに隠れて図示されていない。）、８が設けられている。アーム先端部３２ａ、３３ａの中心部に設けられた雌ねじ部８、８には、外方から枢軸３６，３６（突設部１５ｂに隠れて図示されていない。）の軸部（図示されていない。）が軸着され、それぞれの枢軸３６、３６が両側の突設部１４ｂ、１５ｂに穿孔された貫通孔９，９に枢着されることによって、本体カバー３が回動自在とされている。また、両側のアーム３２，３３との間には、空間部としての第二の空間部３５が形成されている。
【００１７】
下部記録紙収納カバー４ｂには、一部を円弧状に形成されたカバー部材４ｂ’と、このカバー部材４ｂ’に立設されるように両側に側板４７，４８が設けられている。下部記録紙収納カバー４ｂの底面の装着側には、切欠部３７が設けられているとともに、両側の側板４７，４８の下方の装着側に半円形を有する切欠部４５，４６が装着方向に開口するように形成されている。また、両側の側板４７，４８には、それぞれブラケット４０，４１が外側に向けて平面部を下に突設されている。一方、上部記録紙収納カバー４ａには、一部を円弧状に形成されたカバー部材４ａ’と、このカバー部材４ａ’に立設されるように両側に側板４９，５０が設けられ、これらの側板４９，５０の装着側には、それぞれ係止部材５１、５２が突設され、両側のアーム３２，３３の内面側に設けられた図示されていない係止孔に係止されるようになっている。また、両側の側板４９，５０の装着側の上方には、半円形を有する切欠部５３，５４が装着方向に開口するように形成されている。
【００１８】
図２は、小径の記録紙が装填された記録紙収納装置の装着後であって、本体カバーが閉止位置に回動された状態の図１の装着方向の中央断面図である。図２において、ベースプレート１７の底面部１７ａの上面には、バッテリーホルダー１９が設けられ、バッテリーホルダー１９の中にはモバイルプリンター１を手軽に持ち運びができるようにバッテリー１６が収納されている。また、バッテリーホルダー１９の上面に設けられた支持部材２３と図示されていないサーマルヘッドを有したヘッドユニット２１の間にヘッド押さえ２４が設けられ、このヘッド押さえ２４と支持部材２３との間にコイルスプリング２５が介装されている。このコイルスプリング２５がヘッド押さえ２４を介してヘッドユニット２１を押圧することによって、後述するプラテンローラ２２がヘッドユニット２１に弾接されている。なお、ヘッドユニット２１は、プリンター本体２に設けられた図示されていない枢軸回りに回動自在となっているとともに、ヘッド押さえ２４も、支持部材２３に設けられた図示されていない枢軸回りに回動自在となっている。一方、ベースプレート１７の底面部１７ａの後端側には、上方に向けて係止部材４４が突設されている。
【００１９】
本体カバー３には、図示されていない枢軸が枢着され、この枢軸には回動自在に剥離フレーム２８が設けられ、この剥離フレーム２８には剥離ローラ２６が枢着され、剥離ローラ２６が回転自在とされている。また、本体カバー３には、回動フレーム３１が設けられ、この回動フレーム３１に両側のアーム３２，３３が立設されているとともに、両側のアーム３２，３３には、プラテンローラ２２が枢着され回転自在とされている。さらに、両側のアーム３２，３３には、ラベル剥離部材２７がプラテンローラ２２の近傍に設けられている。一方、操作パネル６と本体カバー３との間には、発行口２９が開口されているとともに、剥離フレーム２８と回動フレーム３１との間には、排出口３０が開口されている。
【００２０】
両側のサイドパネル１４、１５には、枢軸２０が枢着されており、図示されていないセンタリング機構によって、モバイルプリンター１の中心から幅方向に等距離に開口するように記録紙ガイド１８ａ、１８ｂが枢軸２０に摺動するようになっている。さらに、枢軸２０の記録紙ガイド１８ａと延設部１４ａとの間および記録紙ガイド１８ｂと延設部１５ａとの間には、図示されていないコイルスプリングが介装されているので、記録紙ガイド１８ａおよび記録紙ガイド１８ｂは、常に中心に向かって摺動するように押圧されている。なお、図１では、記録紙ガイド１８ａおよび１８ｂが最大幅に開口した状態が示されている。
【００２１】
図３は、大径の記録紙が装填されていない記録紙収納装置の装着前であって、本体カバーが全開位置に回動された状態のモバイルプリンターの分解斜視図である。図３において、図４で示されている大径の記録紙７１が収納された記録紙収納装置５５が装着されたモバイルプリンター７２において、プリンター本体２と本体カバー３は、小径の記録紙５が収納された記録紙収納装置４の場合と同一構成とされているので、同一構成の要素には同一符号を付し、重複する説明は省略する。大径の記録紙７１を収納する記録紙収納装置５５は、第一の記録紙収納装置としての上部記録紙収納カバー５５ａと第二の記録紙収納装置としての下部記録紙収納カバー５５ｂとから構成され、下部記録紙収納カバー５５ｂには、大径の記録紙７１が装填されるようになっている。
【００２２】
下部記録紙収納カバー５５ｂには、一部を円弧状に形成されたカバー部材５５ｂ’と、このカバー部材５５ｂ’に立設されるように両側に側板５６，５７が設けられている。この下部記録紙収納カバー５５ｂの底面の装着側には、切欠部５８が設けられるとともに、両側の側板５６，５７の下方の装着側に半円形を有する切欠部６１，６２が装着方向に開口するように形成されている。また、両側の側板５６，５７には、それぞれブラケット５９，６０が外側に向けて平面部を下に突設されている。さらに、両側の側板５６，５７の後端側には、外面側に向けて係合ピン６９，７０が突設されている。
【００２３】
上部記録紙収納カバー５５ａには、一部が円弧状に形成されたカバー部材５５ａ’と、このカバー部材５５ａ’に立設されるように両側に側板６３，６４が設けられ、これらの側板６３，６４の内面には、囲むように突設部６７（側板６３に隠れて図示されていない。），６８が形成され、これらの突設部６７，６８に係合ピン６９，７０が係合されるようになっている。また、両側の側板６３，６４の上部には、下方に開口するように半円形を有する切欠部６５，６６が形成され、両側のアーム３２，３３の内面側に設けられた図示されていない突設された係止ピンに係止されるようになっている。
【００２４】
図４は、大径の記録紙が装填されていない記録紙収納装置の装着後であって、本体カバーが閉止位置に回動された状態の図３の装着方向の中央断面図である。図４において、ベースプレート１７の底面部１７ａの後面側に設けられた係止部材４４が、下部記録紙収納カバー５５ｂに設けられた切欠部５８に係止されているとともに、両側の延設部１４ａ、１５ａに設けられた係合ピン３８，３９が下部記録紙収納カバー５５ｂの両側の側板５６，５７に設けられた切欠部６１，６２に係合されている。なお、下部記録紙収納カバー５５ｂに装填された大径の記録紙７１が、２点鎖線で示されている。また、下部記録紙収納カバー５５ｂの両側の側板５６，５７に設けられた係合ピン６９，７０が、上部記録紙収納カバー５５ａの両側の側板６３，６４の突設部６７，６８に係合されている。
【００２５】
つぎに、図１および図２を用いて、小径の記録紙５が装填される記録紙収納装置４をモバイルプリンター１に装着させる方法について説明する。最初に、本体カバー３を全開の位置に回動させた状態で、両側の延設部１４ａ、１４ｂに設けられた係合ピン３８，３９が下部記録紙収納カバー４ｂの両側の側板４７，４８に設けられた切欠部４５，４６に係合されるように下部記録紙収納カバー４ｂを長手方向からプリンター本体２に挿入させる。さらに、ベースプレート１７の底面部１７ａに設けられた係止部材４４が下部記録紙収納カバー４ｂに設けられた切欠部３７に係止されるまで下部記録紙収納カバー４ｂを挿入させ、下部記録紙収納カバー４ｂの両側の側板４７，４８に設けられたブラケット４０，４１を両側の延設部１４ａ、１４ｂの上面部４２，４３に載置させてからビスで固定する。このようにして、下部記録紙収納カバー４ｂのプリンター本体２への装着が完了する。
【００２６】
次に、本体カバー３の両側のアーム３２，３３に設けられた図示されていない係合ピンが、上部記録紙収納カバー４ａに設けられた両側の側板４９，５０に形成された切欠部５３，５４に係合されるように、上部記録紙収納カバー４ａを長手方向から本体カバー３に挿入させながら、両側の側板４９，５０に形成された係止部材５１，５２を両側のアーム３２，３３に設けられた図示されていない係止孔に係止されるまで挿入させることによって、上部記録紙収納カバー４ａの本体カバー３への装着が完了する。このように記録紙収納装置４の装着が完了したら、小径の記録紙５を下部記録紙収納カバー４ｂに装填する。
【００２７】
下部記録紙収納装置４ｂは、操作パネル６の上方から第一の空間部３４へ挿入させることもできる。また、本実施の形態で示された記録紙収納装置４は、上部記録紙収納カバー４ａと下部記録紙収納カバー４ｂが別々に挿入された場合について説明してあるが、これに限定されることなく上部記録紙収納カバー４ａのカバー部材４ａ’の内面が、下部記録紙収納カバー４ｂのカバー部材４ｂ’の外面と摺接されるように上部記録紙収納カバー４ａと下部記録紙収納カバー４ｂを連接して、記録紙収納装置４をモバイルプリンター１に装着することもできる。一方、記録紙収納装置４を取り外す場合は、装着手順と逆の手順で行うことにより容易に取り外すことができ、大径の記録紙に印字する場合は、大径の記録紙７１が装填される記録紙収納装置５５を装着することによって大径の記録紙７１を印字することができる。
【００２８】
記録紙収納装置４の装着が完了すると、小径の記録紙５の先端を引き出して発行口２９の上方まで持ち上げ、次に、本体カバー３を全開の位置から閉止の位置へ徐々に回動させると、上部記録紙収納カバー４ａのカバー部材４ａ’の内面が、下部記録紙収納カバー４ｂのカバー部材４ｂ’の外面に摺接されながら本体カバー３とともに回動され、さらに、本体カバー３が閉止の位置まで回動されると、ヘッドユニット２１がコイルスプリング２５を介してヘッド押さえ２４によって押圧され、小径の記録紙５がヘッドユニット２１とプラテンローラ２２に挟持された状態で、プラテンローラ２２がヘッドユニット２１に弾接され印字状態となる。印字された小径の記録紙５は、発行口２９から発行される。剥離モードのときは、小径の記録紙５の台紙に貼着されたラベルがラベル剥離部材２７によって剥離され、台紙が排出口３０から排出されるようになっている。
【００２９】
次に、図３および図４を用いて、大径の記録紙７１が装填される記録紙収納装置５５をモバイルプリンター７２に装着させる方法について説明する。最初に、下部記録紙収納カバー５５ｂの両側の側板５６，５７に設けられた係合ピン６９、７０を、上部記録紙収納装置５５ａの両側の側板６３，６４に設けられた突設部６７，６８に係合させる。続けて、両側の延設部１４ａ、１５ａに設けられた係合ピン３８，３９が下部記録紙収納カバー５５ｂの両側の側板５６，５７に設けられた切欠部６１，６２に係合されるように下部記録紙収納カバー５５ｂを長手方向からプリンター本体２に挿入し、さらに、ベースプレート１７の底面部１７ａに設けられた係止部材４４が下部記録紙収納カバー５５ｂに設けられた切欠部５８に係止されるまで挿入させるとともに、下部記録紙収納カバー５５ｂの両側の側板５６，５７に設けられたブラケット５９，６０を両側の延設部１４ａ、１５ａの上面部４２，４３に載置させてからビスで固定する。さらに続けて、本体カバー３の両側のアーム３２，３３に設けられた図示されていない係合ピンが、上部記録紙収納カバー５５ａの両側の側板６３，６４に形成された切欠部６５，６６に係合させるように、上部記録紙収納カバー５５ａを本体カバー３に挿入させることによって、記録紙収納装置５５の装着が完了する。このように記録紙収納装置５５のモバイルプリンター７２への装着が完了したら、大径の記録紙７１を下部記録紙収納カバー５５ｂに装填する。
【００３０】
さらに、本体カバー３を全開の位置から閉止の位置へ徐々に回動させ始めると、上部記録紙収納カバー５５ａのカバー部材５５ａ’の内面が、下部記録紙収納カバー５５ｂのカバー部材５５ｂ’の外面に摺接されるとともに、下部記録紙収納カバー５５ｂの両側の側板５６，５７に設けられた係合ピン６９、７０が、上部記録紙収納カバ−５５ａの両側の側板６３，６４に設けられた突設部６７，６８に係合されながら上部記録紙収納カバー５５ａが本体カバー３とともに回動される。
【００３１】
本実施の形態で示された大径の記録紙７１が装填される記録紙収納装置５５の装着方法について、下部記録紙収納カバー５５ｂと上部記録紙収納カバー５５ａを係合させてから装着させる方法について説明してあるが、これに限定されることなく下部記録紙収納カバー５５ｂと上部記録紙収納カバー５５ａを別体として、それぞれプリンター本体２または本体カバー３に挿入してから下部記録紙収納カバー５５ｂの両側の側板５６，５７に設けられた係合ピン６９、７０と上部記録紙収納カバー５５ａの両側の側板６３，６４に設けられた突設部６７，６８に係合させることもできる。また、下部記録紙収納カバー５５ｂを別体としてプリンター本体２に挿入する場合は、下部記録紙収納カバー５５ｂを操作パネル６の上方から第一の空間部３４へ挿入させることもできる。一方、記録紙収納装置５５を取り外す場合は、装着手順と逆の手順で行うことにより容易に取り外すことができ、小径の記録紙５に印字する場合は、小径の記録紙５が装填される記録紙収納装置４を装着することによって小径の記録紙５を印字することができる。なお、記録紙収納装置５５のモバイルプリンター７２への装着完了後、大径の記録紙７１を下部記録紙収納カバー５５ｂに装填してから、印字状態にセットする手順については、小径の記録紙５と同じ手順で行うことができる。
【００３２】
本実施の形態は、大小の記録紙が装填された記録紙収納装置を装着させたモバイルプリンターについて説明しているが、これらのモバイルプリンターに限定されるものではなく、デスクトップなどの印字装置にも広く適用することができる。また、本実施の形態は、大小の記録紙が装填された場合について説明してあるが、大小径の記録紙に限定されるものではなく、いろいろな種類の記録紙が装填された場合、あるいは記録紙の用紙幅が異なった場合などでも、適用することができる。
【図面の簡単な説明】
【００３３】
【図１】小径の記録紙が装填されていない記録紙収納装置の装着前であって、本体カバーが全開位置に回動された状態のモバイルプリンターの分解斜視図である。
【図２】小径の記録紙が装填された記録紙収納装置の装着後であって、本体カバーが閉止位置に回動された状態の図１の装着方向の中央断面図である。
【図３】大径の記録紙が装填されていない記録紙収納装置の装着前であって、本体カバーが全開位置に回動された状態のモバイルプリンターの分解斜視図である。
【図４】大径の記録紙が装填されていない記録紙収納装置の装着後であって、本体カバーが閉止位置に回動された状態の図３の装着方向の中央断面図である。
【図５】従来のポータブルプリンターにおける分解斜視図である。
【符号の説明】
【００３４】
１、７２    モバイルプリンター
２    プリンター本体
３    本体カバー
４、５５    記録紙収納装置
４ａ、５５ａ    上部記録紙収納カバー
４ｂ、５５ｂ    下部記録紙収納カバー
４ａ’、４ｂ’、５５ａ’、５５ｂ’    カバー部材
５、７１    記録紙
６    操作パネル
１４、１５    サイドパネル
１４ａ、１５ａ    延設部
１４ｂ、１５ｂ    突設部
１７    ベースプレート
２１    ヘッドユニット
２２    プラテンローラ
２９    発行口
３０    排出口
３２、３３    アーム
３４    第一の空間部
３５    第二の空間部
３６    枢軸
３７、５８    切欠部
３８、３９、６９，７０    係合ピン
４０、４１、５９、６０    ブラケット
４４    係止部材
４５、４６、５３、５４、６１，６２、６５，６６    切欠部
４７、４８、４９，５０、５６、５７、６３、６４    側板
５１、５２    係止部材
６７、６８    突設部
【図１】
2007261771.tif 000003
【図２】
2007261771.tif 000004
【図３】
2007261771.tif 000005
【図４】
2007261771.tif 000006
【図５】
2007261771.tif 000007
【手続補正書】
【提出日】平成18年10月26日(2006.10.26)
【手続補正１】
【補正対象書類名】図面
【補正対象項目名】図１
【補正方法】変更
【補正の内容】
【図１】
2007261771.tif 000008
【手続補正２】
【補正対象書類名】図面
【補正対象項目名】図２
【補正方法】変更
【補正の内容】
【図２】
2007261771.tif 000009
【手続補正３】
【補正対象書類名】図面
【補正対象項目名】図３
【補正方法】変更
【補正の内容】
【図３】
2007261771.tif 000010
【手続補正４】
【補正対象書類名】図面
【補正対象項目名】図４
【補正方法】変更
【補正の内容】
【図４】
2007261771.tif 000011